【手続補正書】
【提出日】平成25年7月29日(2013.7.29)
【手続補正１】
【補正対象書類名】特許請求の範囲
【補正対象項目名】全文
【補正方法】変更
【補正の内容】
【特許請求の範囲】
【請求項１】
画像のハイライト色に基づいて、前記画像の撮影時の光環境の色温度を推定する推定手段と、
前記推定手段により推定された撮影時の光環境の色温度に基づいて、前記画像に対する第一の色変換を行う第一の色変換手段と、
前記推定手段により推定された撮影時の光環境の色温度に基づいて決定された色順応の度合いを用いて、前記第一の色変換手段による前記第一の色変換を施した前記画像に対し第二の色変換を行う第二の色変換手段と
を有し、
前記色順応の度合いは、前記撮影時の光環境の色温度と所定の色温度との差異が大きくなるほど減少し、
前記撮影時の光環境下の色温度と前記所定の色温度との差異に応じた前記色順応の度合いの減少は、前記撮影時の光環境下の色温度が前記所定の色温度よりも小さい場合より、前記撮影時の光環境下の色温度が前記所定の色温度以上である場合の方が小さくなることを特徴とする画像処理装置。
【請求項２】
画像のハイライト色に基づいて、前記画像の撮影時の光環境の色温度を推定する推定手段と、
前記推定手段により推定された撮影時の光環境の色温度に基づいて、色変換パラメータの第一の組を算出する第一の算出手段と、
前記推定手段により推定された撮影時の光環境の色温度に基づいて決定された色順応の度合いを含む色変換パラメータの第二の組を算出する第二の算出手段と、
色変換パラメータの前記第一の組と前記第二の組とを用いて、前記画像に対する色変換を行う色変換手段と
を有し、
前記色順応の度合いは、前記撮影時の光環境の色温度と所定の色温度との差異が大きくなるほど減少し、
前記撮影時の光環境下の色温度と前記所定の色温度との差異に応じた前記色順応の度合いの減少は、前記撮影時の光環境下の色温度が前記所定の色温度よりも小さい場合より、前記撮影時の光環境下の色温度が前記所定の色温度以上である場合の方が小さくなることを特徴とする画像処理装置。
【請求項３】
前記色順応の度合いは、人間の可視特性に基づいて決定されることを特徴とする請求項１または２に記載の画像処理装置。
【請求項４】
前記推定手段は、
前記画像に含まれるオブジェクトの色を算出するオブジェクト色算出手段と、
前記オブジェクト色算出手段によって算出された前記オブジェクトの色と前記ハイライト色とに基づいて、前記画像に含まれる前記オブジェクトのグレー画素と肌色画素とを特定する特定手段と、
を有し、
前記推定手段は、少なくとも前記特定されたグレー画素と肌色画素とに基づいて、前記撮影時の光環境の色温度を推定することを特徴とする請求項３に記載に画像処理装置。
【請求項５】
前記第一の色変換手段は、
前記推定手段にて推定された撮影時の光環境の色温度と肌色の軌跡に基づいて、前記撮影時の光環境の色温度に対応する前記オブジェクトの色を算出するオブジェクト色算出手段を有し、
前記第一の色変換手段は、前記オブジェクト色算出手段によって算出されたオブジェクトの色と前記画像に含まれるオブジェクトの色とに基づいて、前記第一の色変換を行うことを特徴とする請求項１に記載の画像処理装置。
【請求項６】
前記色順応の度合いは、前記画像に含まれる同一色相かつ同一彩度の複数画素において、前記第二の色変換の前後の変化量が、暗部領域に含まれる画素より明部領域に含まれる画素に対する方が大きくなるように定義されることを特徴とする請求項１に記載の画像処理装置。
【請求項７】
前記色順応の度合いは、前記撮影時の光環境下の色温度が肌色の色温度よりも小さい場合より、前記撮影時の光環境下の色温度が前記肌色の色温度以上である場合の方が小さくなることを特徴とする請求項２に記載の画像処理装置。
【請求項８】
前記第二の色変換手段は、ＣＩＥＣＡＭ０２を用いて前記第二の色変換を行うことを特徴とする請求項１に記載の画像処理装置。
【請求項９】
画像のハイライト色に基づいて、前記画像の撮影時の光環境の色温度を推定する推定工程と、
前記推定工程にて推定された撮影時の光環境の色温度に基づいて、前記画像に対する第一の色変換を行う第一の色変換工程と、
前記推定工程にて推定された撮影時の光環境の色温度に基づいて決定された色順応の度合いを用いて、前記第一の色変換工程により前記第一の色変換を施した前記画像に対し、第二の色変換を行う第二の色変換工程と
を有し、
前記色順応の度合いは、前記撮影時の光環境の色温度と所定の色温度との差異が大きくなるほど減少し、
前記撮影時の光環境下の色温度と前記所定の色温度との差異に応じた前記色順応の度合いの減少は、前記撮影時の光環境下の色温度が前記所定の色温度よりも小さい場合より、前記撮影時の光環境下の色温度が前記所定の色温度以上である場合の方が小さくなることを特徴とする画像処置方法。
【請求項１０】
画像のハイライト色に基づいて、前記画像の撮影時の光環境の色温度を推定する推定工程と、
前記推定工程にて推定された撮影時の光環境の色温度に基づいて、色変換パラメータの第一の組を算出する第一の算出工程と、
前記推定工程にて推定された撮影時の光環境の色温度に基づいて決定された色順応の度合いを含む色変換パラメータの第二の組を算出する第二の算出工程と、
色変換パラメータの前記第一の組と前記第二の組とを用いて、前記画像に対する色変換を行う色変換工程と
を有し、
前記色順応の度合いは、前記撮影時の光環境の色温度と所定の色温度との差異が大きくなるほど減少し、
前記撮影時の光環境下の色温度と前記所定の色温度との差異に応じた前記色順応の度合いの減少は、前記撮影時の光環境下の色温度が前記所定の色温度よりも小さい場合より、前記撮影時の光環境下の色温度が前記所定の色温度以上である場合の方が小さくなることを特徴とする画像処理方法。
【請求項１１】
コンピュータを請求項１乃至８のいずれか一項に記載の画像処理装置の各手段として機能させるためのプログラム。
【請求項１２】
前記第二の色変換手段は、前記第一の色変換を施した前記画像をＪＣｈ色空間へ変換することにより、前記第二の色変換を行うことを特徴とする請求項１に記載の画像処理装置。
【請求項１３】
前記画像に含まれるオブジェクトは、人間の顔であることを特徴とする請求項４に記載の画像処理装置。
【請求項１４】
前記所定の色温度は、肌色の色温度であることを特徴とする請求項２に記載の画像処理装置。
【請求項１５】
色変換パラメータの前記第二の組は更に、前記推定された撮影時の光環境の色温度に対応する白点を用いて計算されることを特徴とする請求項２に記載の画像処理装置。
【請求項１６】
前記第二の色変換手段による変化量は、前記画像の画素の輝度が高くなるほど大きくなることを特徴とする請求項１に記載の画像処理装置。
【請求項１７】
前記第二の算出手段は、ＣＩＥＣＡＭ０２を用いて色変換パラメータの前記第二の組を算出することを特徴とする請求項２に記載の画像処理装置。
【請求項１８】
前記第一の色変換手段による、前記画像に含まれる画素に対して実行された色変換のシフト量は、前記画素の輝度値と前記画像に含まれるオブジェクトの輝度値とが離れるほど小さくなることを特徴とする請求項５に記載の画像処理装置。
【請求項１９】
画像のハイライト色に基づいて、前記画像の撮影時の光環境の色温度を推定する推定手段と、
前記推定手段にて推定された撮影時の光環境の色温度に基づいて決定された色順応の度合いを用いることによって、前記画像に対する色変換を行う色変換手段と
を有することを特徴とする画像処理装置。
【請求項２０】
前記色変換手段において、前記色順応の度合いは、前記撮影時の光環境の色温度と所定の色温度との差異が大きくなるほど減少することを特徴とする請求項１９に記載の画像処理装置。
【請求項２１】
前記色順応の度合いの減少は、前記撮影時の光環境下の色温度が前記所定の色温度よりも小さい場合より、前記撮影時の光環境下の色温度が前記所定の色温度以上である場合の方が小さくなることを特徴とする請求項２０に記載の画像処理装置。
【請求項２２】
前記色順応の度合いは、人間の可視特性に基づいて決定されることを特徴とする請求項１９乃至２１のいずれか一項に記載の画像処理装置。
【請求項２３】
前記色変換手段は、ＣＩＥＣＡＭ０２を用いて前記色変換を行うことを特徴とする請求項１９乃至２１のいずれか一項に記載の画像処理装置。
【請求項２４】
前記色変換手段による変化量は、前記画像の画素の輝度が高くなるほど大きくなることを特徴とする請求項１９乃至２１のいずれか一項に記載の画像処理装置。
【請求項２５】
画像のハイライト色に基づいて、前記画像の撮影時の光環境の色温度を推定する推定工程と、
前記推定工程にて推定された撮影時の光環境の色温度に基づいて決定された色順応の度合いを用いることによって、前記画像に対する色変換を行う色変換工程と
を有することを特徴とする画像処理方法。
【手続補正２】
【補正対象書類名】明細書
【補正対象項目名】発明の名称
【補正方法】変更
【補正の内容】
【発明の名称】画像処理装置、画像処理方法、およびプログラム
【手続補正３】
【補正対象書類名】明細書
【補正対象項目名】０００９
【補正方法】変更
【補正の内容】
【０００９】
本発明は、上記課題を解決するために、以下の手段を有する。すなわち、画像処理装置であって、画像のハイライト色に基づいて、前記画像の撮影時の光環境の色温度を推定する推定手段と、前記推定手段により推定された撮影時の光環境の色温度に基づいて、前記画像に対する第一の色変換を行う第一の色変換手段と、前記推定手段により推定された撮影時の光環境の色温度に基づいて決定された色順応の度合いを用いて、前記第一の色変換手段による前記第一の色変換を施した前記画像に対し第二の色変換を行う第二の色変換手段とを有し、前記色順応の度合いは、前記撮影時の光環境の色温度と所定の色温度との差異が大きくなるほど減少し、前記撮影時の光環境下の色温度と前記所定の色温度との差異に応じた前記色順応の度合いの減少は、前記撮影時の光環境下の色温度が前記所定の色温度よりも小さい場合より、前記撮影時の光環境下の色温度が前記所定の色温度以上である場合の方が小さくなることを特徴とする。
【手続補正４】
【補正対象書類名】明細書
【補正対象項目名】００１０
【補正方法】削除
【補正の内容】